(57)【特許請求の範囲】
【請求項１】
非接触で電力を受電し、圧縮された第１の情報及び表示画像の配置パターンを示すフォーマット情報を含むデータを受信するアンテナと、
前記電力により駆動され、前記第１の情報及び前記フォーマット情報に基づいて表示画像を生成する表示画像生成部と、
前記電力により駆動され、前記表示画像を表示する表示部と、
前記アンテナと前記表示画像生成部との間にあり、前記アンテナで受信した前記データが暗号化されている場合に、前記データの復号化処理を行うロジック部と、
前記アンテナから受電した電力を蓄電するとともに、前記表示画像生成部および前記表示部に前記電力を供給する蓄電部と、
前記蓄電部の充放電を制御し、前記アンテナで受信するデータの量が大きい場合には、前記蓄電部に蓄電する電力量を大きくする蓄電制御部と
を備え、
前記第１の情報のデータ長は、前記フォーマット情報により変化し、
前記フォーマット情報は、前記第１の情報よりも先に前記アンテナにより受信され、
前記表示画像の生成は、前記蓄電部における充電が完了した後に行われる
ことを特徴とする非接触通信媒体。
【請求項２】
前記第１の情報は、異なる圧縮率で圧縮された複数の第２の情報を含み、
前記フォーマット情報は、複数の前記第２の情報からそれぞれ生成される複数の部分表示画像の前記表示部における配置パターンを含む
ことを特徴とする請求項１に記載の非接触通信媒体。
【請求項３】
前記表示画像生成部は、
前記フォーマット情報を判別する判別部と、
前記判別部の判別結果に基づいて複数の前記第２の情報をそれぞれ解凍し複数の前記部分表示画像に変換する複数の画像変換部と、
複数の前記部分表示画像を合成する画像合成部と
を備えたことを特徴とする請求項２に記載の非接触通信媒体。
【請求項４】
複数の前記第２の情報は、ＣＧ画像データを圧縮した情報及び写真データを圧縮した情報を含む
ことを特徴とする請求項２または請求項３に記載の非接触通信媒体。
【請求項５】
前記第２の情報から生成される前記部分表示画像は矩形である
ことを特徴とする請求項２から請求項４のいずれか１項に記載の非接触通信媒体。
【請求項６】
前記蓄電部に蓄電される電力量は、前記表示画像生成部および前記表示部が前記表示画像を更新するのに必要な電力量である
ことを特徴とする請求項１から請求項５のいずれか１項に記載の非接触通信媒体。
【請求項７】
前記蓄電部は、静電容量を蓄えるキャパシタである
ことを特徴とする請求項１から請求項６のいずれか１項に記載の非接触通信媒体。
【請求項８】
請求項１から請求項７のいずれか１項に記載の非接触通信媒体と、
前記表示画像を保持する表示画像保持部、前記第１の情報を生成するデータ生成部、前記フォーマット情報を生成するフォーマット情報生成部、並びに前記第１の情報及び前記フォーマット情報を含むデータを送信するアンテナを有する通信装置と、
を備え、
前記通信装置のアンテナが送信するデータを、前記非接触通信媒体のアンテナが受信する
ことを特徴とする非接触通信システム。
【請求項９】
請求項１から請求項７のいずれか１項に記載の非接触通信媒体と、
前記第１の情報及び前記フォーマット情報を含むデータを取得するデータ取得部、並びに前記データを送信するアンテナを有する通信装置と、
を備え、
前記通信装置のアンテナが送信するデータを、前記非接触通信媒体のアンテナが受信する
ことを特徴とする非接触通信システム。
【請求項１０】
請求項１に記載の非接触通信媒体に用いられるマイコンであって、
前記マイコンは、非接触通信媒体に設けられたアンテナから非接触で受電した電力により駆動され、圧縮された第１の情報及び表示画像の配置パターンを示すフォーマット情報に基づいて表示画像を生成する表示画像生成部を備えた
ことを特徴とするマイコン。
【請求項１１】
前記第１の情報は、異なる圧縮率で圧縮された複数の第２の情報を含み、
前記フォーマット情報は、複数の前記第２の情報からそれぞれ生成される複数の部分表示画像の前記表示部における配置パターンを含む
ことを特徴とする請求項１０に記載のマイコン。
【発明の詳細な説明】
【技術分野】
【０００１】
本発明は、非接触通信媒体、当該非接触通信媒体と通信する通信装置、通信装置から送信されたデータを非接触通信媒体で受信する非接触通信システム及び非接触通信媒体に用いられるマイコンに関するものである。
【背景技術】
【０００２】
従来、表示部を備えた非接触通信媒体（例えば、ＩＣカード）は、内部電源から電源を供給して表示部を駆動している。近年、非接触通信媒体の構成を簡単にすることやコスト低減等の要望から、内部電源なしで表示部を駆動する非接触通信媒体が開示されている（例えば、特許文献１を参照）。
【先行技術文献】
【特許文献】
【０００３】
【特許文献１】特開２０１３−１８６４９２号公報（段落［０００８］）
【発明の概要】
【発明が解決しようとする課題】
【０００４】
内部電源を有さない非接触通信媒体において、表示部に表示する画像を更新するためには、画像を更新する間は非接触通信媒体を通信装置の電力供給可能な位置に設置しておく必要がある。しかしながら、従来の構成では、更新する画像によっては、画像を更新する時間が長くなってしまうといった課題があった。
【０００５】
本発明は、上記のような課題を解決するためになされたものであり、非接触通信媒体の表示部の画像を更新する時間を従来よりも短縮する非接触通信媒体、通信装置、通信装置から送信されたデータを非接触通信媒体で受信する非接触通信システム及び非接触通信媒体に用いられるマイコンを提供するものである。
【課題を解決するための手段】
【０００６】
本発明に係る非接触通信媒体は、非接触で電力を受電し、圧縮された第１の情報及び表示画像の配置パターンを示すフォーマット情報を含むデータを受信するアンテナと、電力により駆動され、第１の情報及びフォーマット情報に基づいて表示画像を生成する表示画像生成部と、電力により駆動され、表示画像を表示する表示部と、アンテナと表示画像生成部との間にあり、アンテナで受信したデータが暗号化されている場合に、データの復号化処理を行うロジック部と、アンテナから受電した電力を蓄電するとともに、表示画像生成部および表示部に電力を供給する蓄電部と、蓄電部の充放電を制御し、アンテナで受信するデータの量が大きい場合には、蓄電部に蓄電する電力量を大きくする蓄電制御部と、を備え、第１の情報のデータ長は、フォーマット情報により変化し、フォーマット情報は、第１の情報よりも先にアンテナにより受信され、表示画像の生成は、蓄電部における充電が完了した後に行われるものである。
【０００８】
また、本発明に係る非接触通信システムは、本発明に係る非接触通信媒体と、表示画像を保持する表示画像保持部、第１の情報を生成するデータ生成部、フォーマット情報を生成するフォーマット情報生成部、並びに第１の情報及びフォーマット情報を含むデータを送信するアンテナを有する通信装置と、を備え、通信装置のアンテナが送信するデータを、非接触通信媒体のアンテナが受信するものである。
【０００９】
また、本発明に係る非接触通信システムは、本発明に係る非接触通信媒体と、第１の情報及びフォーマット情報を含むデータを取得するデータ取得部、並びにデータを送信するアンテナを有する通信装置と、を備え、通信装置のアンテナが送信するデータを、非接触通信媒体のアンテナが受信するものである。
【００１０】
また、本発明に係るマイコンは、表示部を備えた非接触通信媒体に用いられるマイコンであって、マイコンは、非接触通信媒体に設けられたアンテナから非接触で受電した電力により駆動され、圧縮された第１の情報及び表示画像の配置パターンを示すフォーマット情報に基づいて表示画像を生成する表示画像生成部を備えたものである。
【発明の効果】
【００１１】
本発明に係る非接触通信媒体によれば、非接触通信媒体の表示部の画像を更新する時間を従来よりも短縮することができる。
【００１２】
また、本発明に係る通信装置によれば、非接触通信媒体の表示部の画像を更新する時間を従来よりも短縮することができる。
【００１３】
また、本発明に係る非接触通信システムによれば、非接触通信媒体の表示部の画像を更新する時間を従来よりも短縮することができる。
【００１４】
また、本発明に係るマイコンによれば、非接触通信媒体の表示部の画像を更新する時間を従来よりも短縮することができる。
【図面の簡単な説明】
【００１５】
【図１】本発明の実施の形態１に係る非接触通信システムを概略的に示した図である。
【図２】本発明の実施の形態１に係る表示画像の表示パターンを示した図である。
【図３】本発明の実施の形態１に係る非接触通信媒体及び通信装置におけるデータのデータ構造を示した図である。
【図４】本発明の実施の形態１に係る非接触通信媒体及び通信装置の動作のフローチャートを示した図である。
【図５】本発明の実施の形態２に係る非接触通信システムを概略的に示した図である。
【図６】本発明の実施の形態２に係る非接触通信媒体及び通信装置の動作のフローチャートを示した図である。
【図７】本発明の実施の形態３に係る非接触通信システムを概略的に示した図である。
【図８】本発明の実施の形態３に係る非接触通信媒体および通信装置の動作のフローチャートを示した図である。
【発明を実施するための形態】
【００１６】
以下、図面に基づいて、本発明の一実施の形態例を説明する。
実施の形態１．
図１は、本発明の実施の形態１に係る非接触通信システム２０を示したものである。実施の形態１に係る非接触通信システム２０は、非接触通信媒体１と通信装置５０とを含む。実施の形態１では、通信装置５０から非接触通信媒体１へデータを送信する際には、通信装置５０側で画像データを圧縮したデータを送信する。非接触通信媒体１は、通信装置５０から送信された圧縮された画像データ（データ）を受信するとともに、当該データを解凍して表示部５に表示する。なお、図１において実線矢印は、データの流れを示し、破線矢印は、電力の流れを示している。
【００１７】
非接触通信媒体１は、通信装置５０から非接触で電力を給電するとともにデータを受信するアンテナ２と、アンテナ２で給電された電力の調整を行うとともにアンテナ２で受信したデータのデータ処理を行うチップ部３と、チップ部３から供給される電力によって動作するとともにチップ部３で処理されたデータに基づいて表示画像を生成するマイコン４と、マイコン４で生成された表示画像を表示する表示部５とを含む。ここで、非接触通信媒体１としては、例えば、ＩＣカードを用いることができる。また、表示部５は、例えば、電子ペーパーまたはメモリ液晶を用いることができる。
【００１８】
アンテナ２で受信されるデータは、非接触通信媒体１の表示部５で表示する画像を圧縮した情報（第１の情報）と、圧縮された画像により生成される表示画像の配置パターンを示すフォーマット情報とを含む。配置パターン及びフォーマット情報については、後に詳しく説明する。
【００１９】
アンテナ２は、通信装置５０から送信される電磁波を受信しエネルギーに変換することによってチップ部３に電力を供給するとともに、通信装置５０との非接触無線通信で生じた電流をデータとしてチップ部３に出力する。
【００２０】
チップ部３は、アンテナ２で受信したデータの変復調を行う非接触インターフェース６と、設定値などを保存するメモリ７と、チップ部３の各ブロックの制御と通信データの処理（例えば、非接触通信の暗号化）を行うロジック部８と、メモリ７とロジック部８とから出力されたデータをマイコン４に送信するマイコンインターフェース９と、アンテナ２で受電した電力を整流する整流回路１０とを含む。なお、実施の形態１におけるアンテナ２及びチップ部３は、例えば、ＮＦＣ（Near Field Communication）のアンテナとチップである。ロジック部８は、非接触インターフェース６から受信したデータを、マイコン４が受信できる形式のデータフォーマットに変換することもできる。また、ロジック部８は、アンテナ２で受信したデータが暗号化されている場合に、データの復号化処理を行うこともできる。
【００２１】
マイコン４は、チップ部３のマイコンインターフェース９から送信されたデータから表示画像を生成する表示画像生成部１１と、表示画像生成部１１で生成された表示画像を表示部５で表示するよう制御を行う表示制御部１２とを含む。
【００２２】
表示画像生成部１１は、マイコンインターフェース９から送信されたデータに含まれるフォーマット情報を判別する判別部１３と、判別部１３の判別結果に基づいて、データに含まれる圧縮された情報を解凍し部分表示画像に変換する第１の画像変換部としての写真画像領域変換部１４及び第２の画像変換部としてのＣＧ画像領域変換部１５と、写真画像領域変換部１４によって変換された部分表示画像とＣＧ画像領域変換部１５によって変換された部分表示画像とを合成する画像合成部１６とを含む。
【００２３】
ここで、チップ部３、マイコン４及び表示部５は、チップ部３が備える整流回路１０からの電力によって駆動される。すなわち、実施の形態１における非接触通信媒体１は内部に電源を持たずに、アンテナ２で受電した電力によって駆動される。
【００２４】
通信装置５０は、非接触通信媒体１の表示部５で表示する表示画像を保持する表示画像保持部５１と、表示画像保持部５１に保持された表示画像においてＣＧ画像領域の情報を圧縮するＣＧ画像領域用通信データ生成部５２と、表示画像保持部５１に保持された表示画像において写真画像領域の情報を圧縮する写真画像領域用通信データ生成部５３と、表示画像保持部５１に保持された表示画像の配置パターンを示すフォーマット情報を生成するフォーマット情報生成部５４と、ＣＧ画像領域用通信データ生成部５２、写真画像領域用通信データ生成部５３及びフォーマット情報生成部５４で生成された情報に基づいて送信用のデータを生成するチップ内メモリ用通信データ生成部５５と、表示画像保持部５１、ＣＧ画像領域用通信データ生成部５２、写真画像領域用通信データ生成部５３、フォーマット情報生成部５４及びチップ内メモリ用通信データ生成部５５を制御する通信制御部５６と、チップ内メモリ用通信データ生成部５５により生成された送信用のデータを送信するアンテナ５７とを含む。ＣＧ画像領域用通信データ生成部５２と写真画像領域用通信データ生成部５３とをまとめてデータ生成部５８とする。
【００２５】
ここで、表示画像のうちＣＧ画像領域の情報を圧縮したデータをＣＧ画像領域用通信データ（第２の情報）とする。また、表示画像において写真画像領域の情報を圧縮したデータを写真画像領域用通信データ（第２の情報）とする。また、データ生成部５８（ＣＧ画像領域用通信データ生成部５２及び写真画像領域用通信データ生成部５３）で生成される写真画像領域の情報を圧縮した情報とＣＧ画像領域の情報を圧縮した情報とをまとめて第１の情報とする。
【００２６】
次にフォーマット情報が示す表示画像の配置パターンについて説明する。図２は、非接触通信媒体１の表示部５が表示する表示画像の配置パターンを示したものである。すなわち、図２は、非接触通信媒体１の表示部５での表示画像における写真画像領域１７とＣＧ画像領域１８との第１の情報に対するフォーマット情報の例を示したものである。図２に示すように、表示画像の配置パターンは写真画像領域１７及びＣＧ画像領域１８の配置に応じた４つの配置パターンを一例として示している。実施の形態１では、表示画像は写真画像領域１７及びＣＧ画像領域１８を含んでいる。写真画像領域１７及びＣＧ画像領域１８はそれぞれ第１の画像変換部１４（写真画像領域変換部）が変換する部分表示画像及び第２の画像変換部１５（ＣＧ画像領域変換部）が変換する部分表示画像に対応している。
【００２７】
ＣＧ画像領域１８に表示されるＣＧ画像は、文字、図、グラデーション、線及び表などの圧縮可能なコンピュータグラッフィクス画像を含む。写真画像領域１７に表示される写真画像は、例えば、ＪＰＥＧなどの画像圧縮が可能な画像を含む。ＣＧ画像領域用通信データと写真画像領域用通信データでは、データの圧縮率が異なる。ＣＧ画像領域に表示されるＣＧ画像の圧縮率は、写真画像領域に表示される写真画像の圧縮率よりも高くすることが可能である。ＣＧ画像は、例えば、文字のサイズ、文字の書体、文字の位置、文字及び背景の色などの圧縮可能な情報を含んでいるため、写真画像よりも圧倒的に圧縮率が高く、また、画質の劣化も少ない。
【００２８】
図２（ａ）は、表示画像の左側がＣＧ画像領域１８であり、表示画像の右側が写真画像領域１７である配置パターンを示している。
【００２９】
図２（ａ）に示す配置パターンに対しては、例えば、フォーマット１というフォーマット情報を対応させる。図２（ｂ）は、フォーマット１の場合の表示画像の表示例を示している。なお、フォーマット１に対応する表示画像において、写真画像領域１７とＣＧ画像領域１８との表示画像における割合は任意に調節可能である。例えば、ＣＧ画像領域１８の割合を写真画像領域１７の割合よりも大きくすることが可能である。ＣＧ画像領域１８と写真画像領域１７の割合を変化させる場合、それぞれの割合に応じたフォーマット情報を与えてもよいし、フォーマット情報にさらにＣＧ画像領域１８と写真画像領域１７のそれぞれの割合を示す情報（部分表示画像の領域を指定する情報）を含めるようにしてもよい。ＣＧ画像領域１８の割合を写真画像領域１７の割合よりも増やすことで、表示画像のデータ圧縮率を高くすることができる。
【００３０】
図２（ｃ）は、表示画像の上側が写真画像領域１７であり、表示画像の下側がＣＧ画像領域１８である配置パターンを示している。図２（ｃ）に示す配置パターンに対しては、例えば、フォーマット２というフォーマット情報を対応させる。図２（ｄ）は、フォーマット２の場合の表示例を示している。なお、フォーマット２に対応する表示画像において、ＣＧ画像領域１８と写真画像領域１７との表示画像における割合は任意に調節可能である。例えば、ＣＧ画像領域１８の割合を写真画像領域１７の割合よりも大きくすることが可能である。ＣＧ画像領域１８と写真画像領域１７の割合を変化させる場合、それぞれの割合に応じたフォーマット情報を与えてもよいし、フォーマット情報にさらにＣＧ画像領域１８と写真画像領域１７のそれぞれの割合を示す情報（部分表示画像の領域を指定する情報）を含めてもよい。ＣＧ画像領域１８の割合を写真画像領域１７の割合よりも増やすことで、表示画像のデータの圧縮率を高くすることができる。
【００３１】
図２（ｅ）は、表示画像全体がＣＧ画像領域１８である配置パターンを示している。図２（ｅ）に示す配置パターンに対しては、例えば、フォーマット３というフォーマット情報を対応させる。図２（ｆ）は、フォーマット３の場合の表示画像の具体例を示している。表示画像全体をＣＧ画像領域１８とすることで、写真画像領域１７を含む表示画像よりもデータの圧縮率を高くすることができる。
【００３２】
図２（ｇ）は、表示画像全体が写真画像領域１７である配置パターンを示している。図２（ｈ）に示す配置パターンに対しては、例えば、フォーマット４というフォーマット情報を対応させる。図２（ｈ）は、フォーマット４の場合の表示画像の具体例を示している。
【００３３】
通信装置５０が送信するデータ及び非接触通信媒体１が受信するデータには、ＣＧ画像領域１８と写真画像領域１７とのうち少なくとも一方を圧縮した情報に加えて、図２に示す表示画像に対応したフォーマット情報（フォーマット１〜４）が含まれている。
【００３４】
上述のとおり、表示画像にＣＧ画像領域１８を含めるとともに、データは、写真画像領域１７及びＣＧ画像領域１８の配置パターンを示すフォーマット情報を有するので、データの圧縮率を高めデータ量を削減するとともに、予め定められた配置パターンに沿ってデータが生成されるので、通信装置５０と非接触通信媒体１とのデータの送受信に係る時間を短縮することが可能である。
【００３５】
ここで、部分表示画像に対応する写真画像領域１７及びＣＧ画像領域１８は矩形であることが好ましい。部分表示画像が矩形であることにより、フォーマット情報に含まれる部分表示画像の領域を指定する情報を低減させることができる。なお、図２ではフォーマット情報に対応する配置パターンの一例を示したが、配置パターンはこれらに限らず、複数の写真画像領域１７と複数のＣＧ画像領域１８とが混在する構成としてもよく、それらの面積比は任意に設定したものでもよい。
【００３６】
図３は、通信装置５０が送信するデータ及び非接触通信媒体１が受信するデータのデータ構造の概略を示したものである。図３（ａ）に示すように、通信装置５０が送信するデータ７０及び非接触通信媒体１が受信するデータ７０は、フォーマット情報の開始を示すフォーマット情報開始ヘッダ８０と、フォーマット情報開始ヘッダ８０に続くフォーマット情報８１と、フォーマット情報８１に続き、ＣＧ画像領域用通信データの開始を示すＣＧ画像領域用通信データ開始ヘッダ８２と、ＣＧ画像領域用通信データ開始ヘッダ８２に続くＣＧ画像領域用通信データ８３と、ＣＧ画像領域用通信データ８３に続き、写真画像領域用通信データの開始を示す写真画像領域用通信データ開始ヘッダ８４と、写真画像領域用通信データ開始ヘッダ８４に続く写真画像領域用通信データ８５と、写真画像領域用通信データ８５に続きデータの終了を示す終了データ８６とを含む。
【００３７】
図３（ｂ）は、図３（ａ）に示した通信装置５０が送信するデータ及び非接触通信媒体１が受信するデータのデータ構造の変形例を示したものである。図３（ｂ）に示すように、データ７１は、写真画像領域用通信データ開始ヘッダ８４と写真画像領域用通信データ８５とを含むデータが、ＣＧ画像領域用通信データ開始ヘッダ８２とＣＧ画像領域用通信データ８３とを含むデータの位置と入れ替わった場合を示している。データの位置の入れ替えはユーザがデータの種類、量に応じて適宜選択することが可能である。
【００３８】
図３（ａ）及び図３（ｂ）に示すように、ＣＧ画像領域用通信データ８３のデータ長（データの量）Ａ及び写真画像領域用通信データ８５のデータ長（データの量）Ｂは表示画像の配置パターンを示すフォーマット情報８１によって変化する。従って、フォーマット情報８１によって、データ構造の長さ（データの量）は異なる。
【００３９】
図３（ｃ）に示すように、データに写真画像領域用通信データ８５が存在しない場合のデータ７２では写真画像領域用通信データ開始ヘッダ８４も存在しないデータ構造となる。また、図３（ｄ）に示すように、データにＣＧ画像領域用通信データ８３が存在しないデータ７３では、ＣＧ画像領域用通信データ開始ヘッダ８２も存在しないデータ構造となる。
【００４０】
次に、実施の形態１における通信装置５０及び非接触通信媒体１の動作について説明する。図４は、実施の形態１における通信装置５０及び非接触通信媒体１の動作についてのフローチャートを示した図である。図４において、破線の上側は通信装置５０側の動作を示しており、破線の下側は、非接触通信媒体１側の動作を示している。図４（ａ）は、データの流れについて示したものであり、図４（ｂ）は電力の流れについて示したものである。
【００４１】
まず、データの流れについて説明する。図４（ａ）に示すように、まず、非接触通信媒体１を通信装置５０のアンテナ５７に近づけることによって、通信装置５０のデータ通信が開始される（ＳＴ２００）。通信装置５０のデータ通信が開始されると、通信装置５０の通信制御部５６は、ＣＧ画像領域用通信データ生成部５２、写真画像領域用通信データ生成部５３及びフォーマット情報生成部５４を制御することによってチップ内メモリ用通信データ生成部５５において、データを生成する（ＳＴ２０１）。当該データは、非接触通信媒体１の表示部５で表示する表示画像を圧縮した情報（第１の情報）と、圧縮された画像により生成される表示画像の配置パターンを示すフォーマット情報とを含む。
【００４２】
通信装置５０の通信制御部５６は、生成されたデータをアンテナ５７を介して非接触通信媒体１のアンテナ２へ送信する（ＳＴ２０２）。非接触通信媒体１は通信装置５０のアンテナ５７から送信されたデータをアンテナ２で受信する（ＳＴ２０３）。チップ部３は、非接触通信媒体１のアンテナ２で受信したデータをマイコン４のフォーマットに変換し変換したデータをマイコン４に送信する（ＳＴ２０４）。判別部１３は、チップ部３から送信されたデータに含まれるフォーマット情報を判別する（ＳＴ２０５）。具体的には、表示画像の配置パターンが図２で示したパターン１〜４のうちどのパターンに該当するかを判別する。
【００４３】
第１の画像変換部としての写真画像領域変換部１４は、判別部１３の判別結果に基づいて、データに含まれる圧縮された情報（写真画像領域用通信データ）を解凍し部分表示画像に変換する（ＳＴ２０６）。同時に第２の画像変換部としてのＣＧ画像領域変換部１５は、判別部１３の判別結果に基づいて、データに含まれる圧縮された情報（ＣＧ画像領域用通信データ）を解凍し部分表示画像に変換する（ＳＴ２０７）。
【００４４】
なお、判別部１３に送信されたデータが写真画像領域用通信データしか含んでいない場合には、写真画像領域用通信データのみを写真画像領域変換部１４へ送信する。また、判別部１３に送信されたデータがＣＧ画像領域用通信データしか含んでいない場合には、ＣＧ画像領域用通信データのみをＣＧ画像領域変換部１５へ送信する。実施の形態１では、表示画像生成部１１は、第１の画像変換部としての写真画像領域変換部１４と第２の画像変換部としてのＣＧ画像領域変換部１５とを有するため、画像変換部が１つしかない場合よりも部分表示画像の変換を同時に処理することで高速に処理を行うことが可能である。
【００４５】
写真画像領域変換部１４では、フォーマット情報に基づいて写真画像領域用通信データを写真領域の部分表示画像に変換して画像合成部１６に出力する。ＣＧ画像領域変換部１５では、フォーマット情報に基づいてＣＧ画像領域用通信データ（例えば文字の種類、サイズ、位置）をＣＧ領域の部分表示画像（例えば文字画像）に変換して画像合成部１６に出力する。
【００４６】
画像合成部１６は、写真画像領域変換部１４及びＣＧ画像領域変換部１５で変換した部分表示画像を合成し表示画像を生成する（ＳＴ２０８）。表示制御部１２は、画像合成部で合成された表示画像を表示部５の駆動フォーマットへ変換する（ＳＴ２０９）。さらに、表示制御部１２は、表示部５の表示画像を更新する（ＳＴ２１０）。表示部５の表示画像が更新されると、非接触通信媒体１は、通信装置５０との通信を終了する（ＳＴ２１１）。例えば、表示部５が電子ペーパーである場合、表示制御部１は電子ペーパーが駆動する形式の表示制御信号を送信して、表示部５の表示を更新する。
【００４７】
次に、電力の流れについて説明する。図４（ｂ）に示すように、まず、通信装置５０のデータ通信が開始されると同時に通信装置５０が非接触媒体１への電源供給を開始する（ＳＴ３００）。通信装置５０のアンテナ５７は、生成されたデータを非接触通信媒体１のアンテナ２へ送信すると同時に、非接触通信媒体１のアンテナ２へ電力を供給する（ＳＴ３０１）。非接触通信媒体１のアンテナ２で電力が受電されると、チップ部３の整流回路１０は、電力の整流を行う（ＳＴ３０２）。整流回路１０は、チップ部３、マイコン４及び表示部５をそれぞれ起動するとともにそれぞれに電力を供給する（ＳＴ３０３）。表示部５の表示画像が更新されると、非接触通信媒体１は、通信装置５０との通信を終了するとともに電力の利用が終了する（ＳＴ３０４）。
【００４８】
本発明の実施の形態１による非接触通信媒体１によれば、非接触で電力を受電し、圧縮された第１の情報及び表示画像の配置パターンを示すフォーマット情報８１を含むデータを受信するアンテナ２と、電力により駆動され、第１の情報及びフォーマット情報８１に基づいて表示画像を生成する表示画像生成部１１と、電力により駆動され、表示画像を表示する表示部５とを備えるので、非接触通信媒体１の表示部５の画像を更新する時間を従来よりも短縮することができる。
【００４９】
また、本発明の実施の形態１による非接触通信媒体１によれば、第１の情報は、異なる圧縮率で圧縮された複数の第２の情報を含み、フォーマット情報８１は、複数の第２の情報からそれぞれ生成される複数の部分表示画像の表示部５における配置パターンを含むので、第２の情報の圧縮率に応じて非接触通信媒体１の表示部５の画像を更新する時間を短縮することができる。
【００５０】
また、本発明の実施の形態１による非接触通信媒体１によれば、表示画像生成部１１は、フォーマット情報８１を判別する判別部１３と、判別部１３の判別結果に基づいて複数の第２の情報をそれぞれ解凍し複数の部分表示画像に変換する複数の画像変換部１４，１５と、複数の部分表示画像を合成する画像合成部１６とを備えるので、画像変換部が１つしかない場合よりも部分表示画像の変換を高速に行うことができる。
【００５１】
また、本発明の実施の形態１による非接触通信媒体１によれば、複数の第２の情報は、ＣＧ画像データを圧縮した情報及び写真データを圧縮した情報を含むので、データの圧縮率をさらに向上させることができ、非接触通信媒体１の表示部５の画像を更新する時間を従来よりも短縮することができる。
【００５２】
また、本発明の実施の形態１による非接触通信媒体１によれば、第２の情報から生成される部分表示画像は矩形であるので、フォーマット情報８１に含まれる部分表示画像の領域を指定する情報を低減させることができる。
【００５３】
また、本発明の実施の形態１による非接触通信媒体１によれば、アンテナ２と表示画像生成部１１との間にロジック部８をさらに備え、ロジック部８は、アンテナ２で受信したデータが暗号化されている場合に、データの復号化処理を行うので、通信のセキュリティを確保することができる。
【００５４】
本発明の実施の形態１による通信装置５０によれば、非接触通信媒体１の表示部５で表示する表示画像を保持する表示画像保持部５１と、表示画像を圧縮した第１の情報を生成するデータ生成部５２，５３と、表示画像の配置パターンを示すフォーマット８１情報を生成するフォーマット情報生成部５４と、第１の情報及びフォーマット情報８１を含むデータを送信するアンテナ５７と、を備えるので、非接触通信媒体１の表示部５の画像を更新する時間を従来よりも短縮することができる。
【００５５】
また、本発明の実施の形態１による通信装置５０によれば、第１の情報は、異なる圧縮率で圧縮された複数の第２の情報を含み、フォーマット情報８１は、複数の第２の情報からそれぞれ生成される複数の部分表示画像の表示部５における配置パターンを含むので第２の情報の圧縮率に応じて非接触通信媒体１の表示部５の画像を更新する時間を短縮することができる。
【００５６】
また、本発明の実施の形態１による非接触通信システム２０によれば、実施の形態１に係る非接触通信媒体１と、実施の形態１に係る通信装置５０と、を備え、通信装置５０のアンテナ５７が送信するデータを、非接触通信媒体１のアンテナ２が受信するので非接触通信媒体１の表示部５の画像を更新する時間を従来よりも短縮することができる。
【００５７】
また、本発明の実施の形態１による表示部５を備えた非接触通信媒体１に用いられるマイコン４によれば、マイコン４は、非接触通信媒体１に設けられたアンテナ２から非接触で受電した電力により駆動され、圧縮された第１の情報及び表示画像の配置パターンを示すフォーマット情報８１に基づいて表示画像を生成する表示画像生成部１１を備えるので、非接触通信媒体１の表示部５の画像を更新する時間を従来よりも短縮することができる。
【００５８】
また、本発明の実施の形態１による表示部５を備えた非接触通信媒体１に用いられるマイコン４によれば、第１の情報は、異なる圧縮率で圧縮された複数の第２の情報を含み、フォーマット情報８１は、複数の第２の情報からそれぞれ生成される複数の部分表示画像の表示部５における配置パターンを含むので、第２の情報の圧縮率に応じて非接触通信媒体１の表示部５の画像を更新する時間を短縮することができる。
【００５９】
実施の形態２．
図５は、本発明の実施の形態２に係る非接触通信システム２１とを示したものである。実施の形態２に係る非接触通信システム２１は、非接触通信媒体１と通信装置５９とを含む。実施の形態２では、通信装置５９の構成が実施の形態１とは異なっている。それ以外の構成は実施の形態１と同一であるため説明を省略する。
【００６０】
実施の形態２における通信装置５９は、サーバ６２からデータを取得するデータ取得部６０と、取得したデータを保持する取得データ保持部６１と、データ取得部６０及び取得データ保持部６１とを制御する通信制御部６３と、サーバ６２から取得したデータを送信するアンテナ６４とを含む。図５では、１つのサーバ６２に対して１つの非接触通信システム２１を示しているが、サーバ６２に対して複数の非接触通信システム２１を対応させることもできる。
【００６１】
データ取得部６０が取得するデータには、非接触通信媒体１の表示部５で表示する画像を圧縮した情報と、圧縮された画像により生成される表示画像の配置パターンを示すフォーマット情報が含まれている。フォーマット情報は、実施の形態１で説明した情報を含むため説明を省略する。また、実施の形態１で説明したとおり、画像を圧縮した情報は、ＣＧ画像領域の情報を圧縮したデータをＣＧ画像領域用通信データと表示画像において写真画像領域の情報を圧縮したデータを写真画像領域用通信データとを含む。なお、実施の形態２におけるデータ構造は、実施の形態１と同一であるため説明を省略する。
【００６２】
サーバ６２は、非接触通信媒体１の表示部５で表示する表示画像に基づいて通信装置５９のデータ取得部６０に送信するデータを作成しておき、ユーザの操作に従ってデータを送信する。すなわち、サーバ６０は、非接触通信媒体１の表示部５で表示する表示画像におけるＣＧ画像領域の情報を圧縮してＣＧ画像領域用通信データを生成し、表示画像における写真画像領域の情報を圧縮して写真画像領域用通信データを生成し、表示画像における配置パターンを示すフォーマット情報を生成する。なお、サーバ６２と通信装置５９のデータ取得部６０との接続は有線でも無線でもよい。
【００６３】
次に、実施の形態２における通信装置５９及び非接触通信媒体１の動作について説明する。図６は、実施の形態２における通信装置５９及び非接触通信媒体１の動作についてのフローチャートを示した図である。図６において、破線の上側は通信装置５９側の動作を示しており、破線の下側は、非接触通信媒体１側の動作を示している。図６（ａ）は、データの流れについて示したものであり、図６（ｂ）は電力の流れについて示したものである。
【００６４】
実施の形態２における通信装置５９及び非接触通信媒体１の動作は、通信装置５９におけるデータの流れのみ異なっており、それ以外の動作は、実施の形態１と同一であるため説明を省略する。すなわち、実施の形態２に係る通信装置５９におけるデータの流れは、非接触通信媒体１を通信装置５９のアンテナ５７に近づけることによって、通信装置５９のデータ通信が開始される（ＳＴ４００）。通信装置５９のデータ通信が開始されると、通信装置５９のデータ取得部６０は、サーバ６２からデータを取得する（ＳＴ４０１）。次に、通信制御部６３は、アンテナ６４を介して取得したデータを非接触通信媒体１のアンテナ２へ送信する（ＳＴ２０４）。
【００６５】
本発明の実施の形態２による通信装置５９によれば、非接触通信媒体１の表示部５で表示する表示画像が圧縮された第１の情報及び表示画像の配置パターンを示すフォーマット情報８１を含むデータを取得するデータ取得部６１と、データを送信するアンテナ６４と、を備えるので、非接触通信媒体１の表示部５の画像を更新する時間を従来よりも短縮することができるとともに通信装置５９の構成を簡略にできる。
【００６６】
また、本発明の実施の形態２による非接触通信システム２１によれば、実施の形態２に係る非接触通信媒体１と、実施の形態１に係る通信装置５９と、を備え、通信装置５９のアンテナ５７が送信するデータを、非接触通信媒体１のアンテナ２が受信するので、非接触通信媒体１の表示部５の画像を更新する時間を従来よりも短縮することができるとともにサーバ６２から複数の通信装置５９に対して同一のデータを送信すればよいのでシステムの管理も簡略にできる。
【００６７】
実施の形態３．
図７は、本発明の実施の形態３に係る非接触通信システム２２を示したものである。非接触通信システムの動作において、例えば、表示画像生成部１１の消費電力がアンテナ２で受電した電力を上回ると、表示部５での表示画像の正常な書き換えが行われなくなる可能性がある。そこで、実施の形態３では、アンテナから受電した電力を一時的に蓄えておく蓄電部２６を備えている。
【００６８】
実施の形態３に係る非接触通信システム２２は、非接触通信媒体３１と通信装置５０とを含む。実施の形態３では、非接触通信媒体３１の電力に関する構成が実施の形態１と異なっている。それ以外の構成は実施の形態１と同様であるため説明を省略する。
【００６９】
実施の形態３に係る非接触通信媒体３１は、アンテナ２で受電され、チップ部３から供給される電力を蓄電する蓄電部２６と、蓄電部２６の充放電を制御する蓄電制御部２５を含む。蓄電制御部２５は、例えば、整流回路１０によって整流された電力によって駆動される。蓄電部２６は、整流回路１０から供給される電力により充電される。また、蓄電部２６に蓄えられた電力は、マイコン４および表示部５に対して供給される。
【００７０】
蓄電制御部２５は、蓄電部２６に蓄電された電力を監視し、マイコン４および表示部５へ電力供給を実施するか否かを判断する。蓄電部２６は、蓄電制御部２５の判断に基づいてマイコン４および表示部５に電力を供給する。蓄電制御部２５は、例えば、マイコン４が表示部５の表示画像を更新するのに必要な電力が蓄電部２６に充電された場合に、蓄電部２６がマイコン４および表示部５に電力を供給するように蓄電部２６を制御する。表示部５に表示される表示画像の更新は、データが受信される頻度と同じ場合があるので、蓄電部２６に充電される電力の上限は、例えば、表示部５の表示画像を１回更新するのに必要な電力としてもよい。また、蓄電部２６に充電する電力量は、アンテナ２で受信するデータの量に応じて可変させることができる。すなわち、非接触通信のアンテナ２で受信するデータの量が大きい場合、例えば、写真画像領域用通信データが多く含まれている場合には、蓄電部２６の充電量（蓄電量）を大きく設定することができる。逆に、アンテナ２で受信するデータのうちＣＧ画像領域用通信データが多く含まれている場合には、蓄電部２６の充電量（蓄電量）を小さく設定することができる。
【００７１】
蓄電部２６は、静電容量を蓄えるキャパシタとして、例えば、コンデンサ等を用いることができる。蓄電部２６が蓄電する電力は、表示部５に表示される表示画像の更新に必要な電力であればよいので、コンデンサ等の小型のキャパシタを用いることができ、例えば、電池を用いた場合よりも非接触通信媒体３１を従来よりも小型化できる。また、非接触通信媒体３１が通信装置５０と通信をする度に蓄電部２６は充電されるため、蓄電部２６は、一定時間放置しておくことにより蓄えた電荷を放出してしまうようなキャパシタを用いてもよい。すなわち、非接触通信媒体３１が使用されていない間は、蓄電部２６は必ずしも充電されている必要はない。このような蓄電部２６の構成により、蓄電部２６には安価なキャパシタを用いることができる。なお、蓄電部２６は、マイコン４および表示部５を駆動するための予備の電力をさらに蓄えていてもよい。
【００７２】
次に、実施の形態３における通信装置５０及び非接触通信媒体３１の動作について説明する。図８は、実施の形態３における通信装置５０及び非接触通信媒体３１の動作についてのフローチャートを示した図である。図８において、破線の上側は通信装置５０側の動作を示しており、破線の下側は、非接触通信媒体３１の動作を示している。図８（ａ）は、データの流れについて示したものであり、図８（ｂ）は電力の流れについて示したものである。実施の形態３における通信装置５０及び非接触通信媒体３１の動作は、非接触通信媒体３１における電力の流れのみ異なっており、それ以外の動作は実施の形態１と同一であるため説明を省略する。図８（ａ）は、実施の形態１で説明したとおりである。
【００７３】
図８（ｂ）に示すように、まず、通信装置５０のデータ通信が開始されると同時に通信装置５０は、非接触通信媒体３１への電力供給を開始する（ＳＴ５００）。通信装置５０のアンテナ５７は、生成されたデータを非接触通信媒体３１のアンテナ２へ送信すると同時に、非接触通信媒体３１のアンテナ２へ電力を供給する（ＳＴ５０１）。
【００７４】
非接触通信媒体３１のアンテナ２で電力が受電されると、チップ部３の整流回路１０は、電力の整流を行う（ＳＴ５０２）。整流回路１０は、チップ部３、蓄電制御部２５をそれぞれ起動するとともに、チップ部３、蓄電制御部２５にそれぞれ電力を供給する（ＳＴ５０３）。
【００７５】
また、整流回路１０は、蓄電部２６へ電力を供給する。蓄電部２６は、整流回路１０から送られた電力により充電される（ＳＴ５０４）。蓄電制御部２５は、蓄電部２６に充電（蓄電）された電力を監視し（ＳＴ５０５）、当該電力が予め決められた値となった場合に、充電が完了したと判断し、蓄電部２６からマイコン４に電力を供給する（ＳＴ５０５）。一方、蓄電制御部２５が、蓄電部２６の充電が完了していないと判断した場合には、再度、蓄電部２６へ電力を供給するステップ（ＳＴ５０４）へ戻る。ここで、当該電力が予め決められた値とは、例えば、マイコン４および表示部５が表示画像を更新するために必要な電力の値である。
【００７６】
また、蓄電制御部２５は、蓄電部２６の充電が完了したと判断した場合には、蓄電部２６への充電を停止することもできる。蓄電制御部２５が、蓄電部２６への充電を停止することによって、蓄電部２６の小型化を実現できる。その後、マイコン４が表示する画像が生成できるタイミングで、マイコン４に加えて表示部５へも電力を供給する（ＳＴ５０７）。表示部５の表示画像が更新されると、非接触通信媒体３１は、通信装置５０との通信を終了するとともに電力の利用が終了する（ＳＴ５０８）。
【００７７】
なお、図８において、ＳＴ２０４とＳＴ５０６とのタイミングについて、ＳＴ２０４はＳＴ５０６以降のタイミングとなる。また、図８において、ＳＴ２１０とＳＴ５０７とのタイミングについて、ＳＴ２１０はＳＴ５０７以降のタイミングとなる。
【００７８】
なお、実施の形態３に係る非接触通信媒体３１を用いた非接触通信システムにおいて、組み合わせる通信装置は、実施の形態１で説明した通信装置５０または、実施の形態２で説明した通信装置５９もしくはいずれの通信装置５０，５９を用いることができる。通信装置５０，５９については実施の形態１，２で既に説明したとおりである。
【００７９】
本発明の実施の形態３による非接触通信媒体３１によれば、非接触通信媒体３１は、アンテナ２から受電した電力を蓄電するとともに、表示画像生成部１１および表示部５に電力を供給する蓄電部２６と、蓄電部２６の充放電を制御する蓄電制御部２５と、をさらに備えるので、表示画像生成部１１の消費電力がアンテナ２で受電した電力を上回った場合にも、表示部５での表示画像の正常な書き換えを行うことができる。
【００８０】
また、本発明の実施の形態３による非接触通信媒体３１によれば、蓄電部２６に蓄電される電力量は、表示画像生成部１１および表示部５が表示画像を更新するのに必要な電力量であるので、非接触通信媒体３１を従来よりも小型化できる。
【００８１】
また、本発明の実施の形態３による非接触通信システム２２によれば、実施の形態３に係る非接触通信媒体３１と、実施の形態１または実施の形態２に係る通信装置５０，５９と、を備え、通信装置５０，５９のアンテナ５７，６４が送信するデータを、非接触通信媒体３１のアンテナ２が受信するので、表示画像生成部１１の消費電力がアンテナ２で受電した電力を上回った場合にも、表示部５での表示画像の正常な書き換えを行う非接触通信システムを実現することができる。
【００８２】
本発明は上記実施の形態に限定されるものではなく、その発明の範囲において、各実施の形態を自由に組み合わせたり、各実施の形態を適宜変更、省略したりすることができる。
【符号の説明】
【００８３】
１，３１          非接触通信媒体
２，５７          アンテナ
４                マイコン
８                ロジック部
１１              表示画像生成部
１３              判別部
１４              第１の画像変換部
１５              第２の画像変換部
２０，２１，２２  非接触通信システム
２５              蓄電制御部
２６              蓄電部
５０，５９        通信装置
５１              表示画像保持部
５２，５３        データ生成部
６０              データ取得部
８１              フォーマット情報
【図１】
0006485394.tif 000002
【図２】
0006485394.tif 000003
【図３】
0006485394.tif 000004
【図４】
0006485394.tif 000005
【図５】
0006485394.tif 000006
【図６】
0006485394.tif 000007
【図７】
0006485394.tif 000008
【図８】
0006485394.tif 000009